(57)【要約】      （修正有）【課題】インテリアの装飾を自由に取り替えることができる装飾筒を提供する。【解決手段】装飾筒は、フレーム１とフレームを被覆するシェードとを備え、フレームは略円形の上側線状エッジ１１と略円形の下側線状エッジ１２と２以上の上側線状エッジと下側線状エッジを連結する連結棒１３とを備え、シェードはシェード本体と上側線状エッジと係合する吊下具とを備え、シェード本体は上端開口部と下端開口部とを有する筒状であり、上端開口部の周縁の長さは上側線状エッジの長さに対して等しく又はやや長く、下端開口部の長さは下端線状エッジの長さに対して等しく又はやや長い。シェードを交換することでインテリアの装飾を自在に取り替えることができる。【選択図】図１
0003191646.tif 000002
【実用新案登録請求の範囲】
【請求項１】
フレームと該フレームを被覆するシェードとを備え、
前記フレームは、上側線状エッジと、下側線状エッジと、２以上の前記上側線状エッジと前記下側線状エッジを連結する連結棒とを備え、
前記シェードは、シェード本体と、前記上側線状エッジと係合する吊下具とを備え、
前記シェード本体は、上端開口部と下端開口部とを有する筒状であり、
前記上端開口部の周縁の長さは前記上側線状エッジの長さに対して等しく又はやや長く
前記下端開口部の長さは前記下端線状エッジの長さに対して等しく又はやや長い、装飾筒。
【請求項２】
前記上側線状エッジと前記下側線状エッジとが略同形であることを特徴とする、請求項１に記載の装飾筒。
【請求項３】
前記上側線状エッジ及び前記下側線状エッジが略円形であることを特徴とする、請求項１又は２に記載の装飾筒。
【請求項４】
前記シェード本体が布製であることを特徴とする、請求項１〜３のいずれか一項に記載の装飾筒。
【請求項５】
前記シェード本体が紙製であることを特徴とする、請求項１〜３のいずれか一項に記載の装飾筒。
【請求項６】
ランプシェードであることを特徴とする、請求項１〜５のいずれか一項に記載の装飾筒。
【考案の詳細な説明】
【技術分野】
【０００１】
本考案は、インテリアの装飾を取り替える装飾筒に関する。
【背景技術】
【０００２】
家屋の内部等、日々を過ごす居住空間において、インテリアを楽しみたいというニーズがある。例えば、特許文献１には、ガラス窓等に透光性化粧シートを接着せしめた装飾板が開示されている。これに対して、季節に合わせて、利用者の趣味に合わせて、子供の成長に合わせて、或いはライフスタイルに合わせて居住空間の雰囲気を自在に変えることのできるシステムが求められている。
【０００３】
インテリアの装飾としては、例えば絵画を用いた壁面装飾が多いが、天井から吊下げるペンダント型の装飾も用いられている。ペンダント型の装飾としては、天井から吊下げた照明具を覆うランプシェードが代表的である。
【０００４】
しかし、従来のランプシェードは照明具と一体化されている等の理由により、自在に交換できるものではなく、居住空間の雰囲気を自在に変えるものではなかった。ランプシェードに限らず、ペンダント型の装飾に用いられる筒状体（以下「装飾筒」と呼ぶ。）において、同様の問題があった。
【先行技術文献】
【特許文献】
【０００５】
【特許文献１】特開２００１−３１０４０８号公報
【考案の概要】
【考案が解決しようとする課題】
【０００６】
本考案は、インテリアの装飾を取り替える装飾筒を提供することを課題とする。
【課題を解決するための手段】
【０００７】
本考案は、フレームと該フレームを被覆するシェードとを備え、フレームは略円形の上側線状エッジと略円形の下側線状エッジと２以上の前記上側線状エッジと前記下側線状エッジを連結する連結棒とを備え、シェードはシェード本体と上側線状エッジと係合する吊下具とを備え、シェード本体は上端開口部と下端開口部とを有する筒状であり、上端開口部の周縁の長さは上側線状エッジの長さに対して等しく又はやや長く、下端開口部の長さは下端線状エッジの長さに対して等しく又はやや長い、装飾筒である。
【０００８】
これによれば、シェードが交換可能であり、インテリアの装飾を取り替えることができる。
【０００９】
本考案の装飾筒は、上側線状エッジと下側線状エッジとが略同形であることを特徴とする。
【００１０】
これによれば、フレームの包絡形状及びシェードが略柱体状となる。交換の際に、シェードを、障害物のない下側から取外し・取付けすることができる。
【００１１】
本考案の装飾筒は、上側線状エッジ及び下側線状エッジが略円形であることを特徴とする。
【００１２】
これによれば、フレームの包絡形状及びシェードが略円柱状となる。ランプシェード等に適した形状である。
【００１３】
本考案の装飾筒は、シェード本体が布製であることを特徴とする。
【００１４】
これによれば、シェードを洗濯してクリーンに保つことができる。
【００１５】
本考案の装飾筒は、シェード本体が紙製であることを特徴とする。
【００１６】
これによれば、廉価なシェードによって多彩な装飾を楽しむことができる。
【００１７】
本考案の装飾筒は、ランプシェードであることを特徴とする。
【００１８】
ペンダント型の装飾としては、ランプシェードが広く用いられている。
【考案の効果】
【００１９】
本考案の装飾筒によれば、インテリアの装飾を自在に取り替えることが可能となる。
【図面の簡単な説明】
【００２０】
【図１】図１は、フレームを示す図である。
【図２】図２は、シェードを示す図である。
【図３】図３は、装飾筒を示す図である。
【図４】図４は、シェードの着脱を説明するための図である。
【考案を実施するための形態】
【００２１】
以下、本考案の実施形態について説明する。
【００２２】
図１は、フレームを示す図である。フレーム１は、金属性であり、上側線状エッジ１１、  下側線状エッジ１２及び連結棒１３によって、図に示すように包絡円筒形状の骨組みを構成している。上側線状エッジ１１及び下側線状エッジ１２は円形であり、その半径は等しい。
なお、上側線状エッジ１１及び下側線状エッジ１２は円形でなくてもよい。例えば正方形とし、フレームの包絡形状を四角柱としてもよい。また、半径が等しく同形としたが、同形でなくてもよい。ただし、後述のとおり、同形であること（フレームの包絡形状が柱体であること）が好ましい。
【００２３】
フレーム１は、吊下棒１４によって天井から吊下げられることができる。
【００２４】
図２は、シェードを示す図である。シェード２は、布製のシェード本体２１及び吊下具２２を備えている。吊下具２２は円形であり、円内が開口となっている。吊下具２２は、シェード本体２１の布の端部を折って縫い合わせ厚手にしたものである。吊下具２２を上側線状エッジ１１の内側に配すれば、吊下具が上側線状エッジ１１に係合し、シェードがフレームに支持される（落下しない）。なお、吊下具２２は、上側線状エッジと係合してシェードが支持されれば、他の形状又は材質であってもよい。例えば数個のプラスチック製フックであってもよい。
【００２５】
本実施形態では、吊下具２２をシェード本体の上側のみでなく下側にも設けている。シェードは円柱形状であり上下反転しても同一形状となるので、上下反転してフレームに取り付けることができる。シェード本体表面の模様により、上下反転して別のインテリアデザインとなる場合もある。
【００２６】
シェードは、シェード本体２１も吊下具も布製である。汚れた時には洗濯機等を用いて洗濯し、クリーンにして再使用することができる。
【００２７】
シェード本体２１は紙製であってもよい。洗濯はできないが、廉価に製造できるので使い捨て使用でも問題ない。また、表面にペン等で模様や文字を描き、各々の使用者の好みの装飾とすることが容易である。
【００２８】
図３は、装飾筒を示す図である。フレーム１にシェード２を取り付けた状態である。フレーム１には電灯３が付されており（図１参照）、装飾筒（シェード２）がランプシェードとして機能する。なお、装飾筒の使用法はランプシェードに限定されず、天井から吊下げて各種装飾が可能である。
【００２９】
図４は、シェードの着脱を説明するための図である。フレーム１及びシェード２は円柱形であり、図に示すように、シェード２を下側から着脱することができる。上側からの着脱は吊下棒１４が障害となって不可能（または着脱のための特殊な仕組が必要）である。上側が下側よりも太い又は同じ太さであれば下側から着脱することができる。
ここで、上側が下側よりも太い場合には取付け後にシェード２の下端が固定し難く、上側と下側が同じ太さであること、すなわちフレームの包絡形状が柱形状であることが好ましい。
【産業上の利用可能性】
【００３０】
本考案の装飾筒は、インテリアの装飾を自在に取り替えるのに好適である。
【符号の説明】
【００３１】
１    フレーム
１１  上側線状エッジ
１２  下側線状エッジ
１３  連結棒
１４  吊下棒
２    シェード
２１  シェード本体
２２  吊下具
３    電球
【図１】
0003191646.tif 000003
【図２】
0003191646.tif 000004
【図３】
0003191646.tif 000005
【図４】
0003191646.tif 000006